(57)【要約】      （修正有）【課題】コンクリート型枠工事の解体時のケレン掛けに用いる型枠工事用ケレン棒を提供する。【解決手段】略３角形の本体部３と、この本体部３の基端部に設けられた把持部５とからなり、本体部３の各面は、中心に向かって湾曲状４に形成されている。また、本体部３にはヤスリ目が形成されている。また、本体部３の両端にはコミ２が形成されており、少なくとも一方のコミ２には、把持部５が着脱自在に装着されている。【選択図】図１
0003198253.tif 000002
【実用新案登録請求の範囲】
【請求項１】
略３角形の本体部と、この本体部の基端部に設けられた把持部とからなり、
前記本体部の各面は、中心に向かって湾曲状に形成されていることを特徴とする型枠工事用ケレン棒。
【請求項２】
前記本体部にはヤスリ目が形成されていることを特徴とする、請求項１に記載の型枠工事用ケレン棒。
【請求項３】
前記本体部の両端にはコミが形成されており、少なくとも一方のコミには、把持部が着脱自在に装着されていることを特徴とする請求項１叉は２に記載の型枠工事用ケレン棒。
【考案の詳細な説明】
【技術分野】
【０００１】  本考案は、コンクリート型枠工事の解体時のケレン掛けに用いる型枠工事用ケレン棒に関するものである。
【背景技術】
【０００２】  コンクリート型枠の解体時には、一般的に金槌が汎用されている。この金槌は、槌頭の略中間部に設けられた貫通孔に柄の上端が差し込まれて抜止め固定されている。槌頭は上下長尺の棒状に形成され、その下面に釘打ち部が形成され、上部に釘抜き部が形成されている。釘打ち部と釘抜き部とを結ぶ槌頭の側面は概ね平坦に形成されている。作業者は角材にベニヤ板を釘打ちしてコンクリート型枠を作製するが、その際には金槌の釘打ち部が使用される。一方、コンクリート型枠の解体時には、金槌の釘抜き部が使用される。そして、解体された型枠材料、特にベニヤ板はその表面に付着して固まったコンクリート固化物を除去して複数回繰り返し使用される。【０００３】  コンクリート固化物の除去作業であるケレン掛け作業時には、長さ０．９ｍ〜１．５ｍ程度の専用のケレン掛け具を使用できる。ところが、作業者の腰ベルトに吊り下げられる道具は小さく少数であるほうが、作業者が動きやすく軽量であり、道具落下事故を抑制できるといった観点から好ましい。そこで、専用のケレン掛け具を持参せず、その代わりに型枠関連作業の必須道具である金槌をケレン掛けに兼用している場合が多い。すなわち、金槌の柄を手で持ち、槌頭の側面をベニヤ板表面と接するように平行に寝かせた状態とし、該槌頭の前面でコンクリート固化物を押して、コンクリート固化物を剥離させていた。
【先行技術文献】
【特許文献】
【０００４】
【特許文献１】  特開平６−４７６８５号公報
【考案の概要】
【考案が解決しようとする課題】
【０００５】  しかしながら、汎用金縋の槌頭はコンクリート固化物よりも柔らかい炭素鋼で構成されているので、汎用金槌でケレン掛け作業をすると、短期間のうちに縋頭が大きく磨耗して元来の釘打ち機能を損なうことがある。また、槌頭の前面が大幅に磨耗すると、他の部位、すなわち釘打ち部、釘抜き部、または柄が正常、無傷であっても金槌全体を取り替えることが多く、資源の浪費につながっていた。【０００６】  本考案は、上記従来の問題点に鑑みてなされたものであって、汎用金槌に代えてコンクリート固化物除去作業ができる、型枠工事用ケレン棒（以下、ケレン棒という）の提供を目的としている。
【課題を解決するための手段】
【０００７】  上記目的を達成するために、本考案に係るケレン棒は、略３角形の本体部と、この本体部の基端部に設けられた把持部とからなり、前記本体部の各面は軸芯の中心に向かって湾曲状に形成されていることを特徴としている。また、前記本体部の各面には、ヤスリ目を形成してもよい。【０００８】  本考案に係るケレン棒はこのように形成されているので、ケレン棒の把持部を手で持ち、穂先の任意縁（略３角形の何れかの縁）をベニヤ板表面と接するよう当接させた状態とし、この任意縁でコンクリート固化物を押して、コンクリート固化物を剥離させることができる。また、ケレン棒の把持部を一方の手で持ち、本体部の先端を他方の手で把持し、本体部のコバをベニヤ板表面と接するよう当接させた状態とし、該コバでコンクリート固化物を押すか、叉は引くことにより、コンクリート固化物を剥離させることができる。この場合、本体部の各面のコバが鋭角となっているので、コンクリート固化物を掬う掬い角が鋭角となるため、コンクリート固化物を効率よく剥ぎ取ることができる。【０００９】  本考案に係るケレン棒は、ヤスリ部の両端にはコミが形成されており、少なくとも一方のコミには、把持部が着脱自在に装着されていることを特徴としている。本考案に係るケレン棒はこのように形成されているので、ケレン棒の両端部に設けられた把持部を手で持ち、本体部のコバをベニヤ板表面と接するよう当接させた状態とし、該コバでコンクリート固化物を押し、叉は引くことにより、極めて容易にコンクリート固化物を剥離させることができる。また、着脱自在に装着されている把持部を取り外すと、通常のヤスリとして使用することができる。
【考案の効果】
【００１０】  本考案のケレン棒は、ケレン棒の把持部を手で持ち、穂先の任意縁をベニヤ板表面と接するよう当接させた状態でコンクリート固化物を押して、コンクリート固化物を剥離させることができる。また、ケレン棒の両端部に設けられた把持部を手で持ち、本体部の任意のコバをベニヤ板表面と接するよう当接させた状態で、コンクリート固化物を押し叉は引くことにより、コンクリート固化物を剥離させることができる。この場合、本体部の各面のコバが鋭角となっているので、コンクリート固化物を掬う掬い角が鋭角となるため、コンクリート固化物を効率よく剥ぎ取ることができる。なお、ケレン棒として使用しない場合は、ヤスリとして使用することができるので、利用用途が広がる。
【図面の簡単な説明】
【００１１】
【図１】  本考案の実施形態を示すケレン棒であり（ａ）は正面図であり、（ｂ）はＡ−Ａ断面図である。
【図２】  本考案の他の実施形態を示すケレン棒の正面図である。
【図３】  本考案の他の実施形態を示すケレン棒の正面図である。
【考案を実施するための形態】
【００１２】  以下、本考案のケレン棒の実施形態について、図面を参照して詳細に説明する。図１は本考案の実施形態を示すケレン棒の正面図である。図１において、ケレン棒１は、全長約２００ｍｍ叉は２６０ｍｍで、一端側より約５０ｍｍ叉は６０ｍｍに把持部５を装着するコミ２が形成されている。また、残りの１５０ｍｍ叉は２００ｍｍは略３角形の本体部３である。本体部３の各面は軸芯の中心に向かって湾曲状４に形成されているが、湾曲状４に変えて２以上の直線の組合せとしてもよい。また、ケレン棒１は金槌と同様に炭素鋼（Ｓ５３Ｃなど）を用いてもよいが、ヤスリに用いられる炭素工具鋼（ＳＫ鋼）を用いることがより好ましい。なお、ケレン棒１の全長は、一般的なヤスリである２００ｍｍ叉は２６０ｍｍに限定されるものではなく、２００ｍｍ未満叉は２６０ｍｍを超える任意の全長に形成することができる。
【００１３】  図２は本考案の他の実施形態を示すケレン棒の正面図である。図２において、ケレン棒１０は、全長約２００ｍｍ叉は２６０ｍｍで、一端側より約５０ｍｍ叉は６０ｍｍに把持部５を装着するコミ２が形成されている。また、残りの１５０ｍｍ叉は２００ｍｍはヤスリ目３ａを有する略３角形の本体部３である。本体部３の各面は軸芯の中心に向かって湾曲状４に形成されているが、湾曲状４に変えて直線叉は２以上の直線の組合せとしてもよい。また、ケレン棒１０は金槌と同様に炭素鋼（Ｓ５３Ｃなど）を用いてもよいが、ヤスリに用いられる炭素工具鋼（ＳＫ鋼）を用いることがより好ましい。なお、ケレン棒１０の全長は、一般的なヤスリである２００ｍｍ叉は２６０ｍｍに限定されるものではなく、２００ｍｍ未満叉は２６０ｍｍを超える任意の全長に形成することができる。
【００１４】  図３は、本考案の他の実施形態を示すケレン棒１１の正面図である。図１叉は図２ではケレン棒１、１０の基端部に把持部５が装着されているが、図３は、ケレン棒１１の両端部に把持部５が設けられている点において相違しているので、相違点についてのみ説明する。ケレン棒１１の両端部には把持部５を装着するためのコミ２が形成されている。一方の端部には把持部５が固着されているが、他方の端部は把持部５が着脱自在に装着されている。他方の把持部５を取り外すとヤスリとして使用することができるので便利である。
【００１５】
【産業上の利用可能性】
【００１６】  本考案のケレン棒は、主として型枠工事用に用いるケレン棒であるが、一般のヤスリとして広く使用することができる。
【符号の説明】
【００１７】  １、１０、１１  ケレン棒
２  コミ
３  本体部
３ａ  ヤスリ目
４  湾曲状
５  把持部
６  コバ
７  鋭角
８  穂先
【図１】
0003198253.tif 000003
【図２】
0003198253.tif 000004
【図３】
0003198253.tif 000005